(57)【要約】【課題】自動操舵の異常終了時において車両の挙動を乱さずに手動運転に移行することのできる制駆動力制御装置および自動操舵システムを提供する。【解決手段】  制駆動力制御装置は、車両の左右輪における制動力差および駆動力差の少なくとも一方を制御することにより前記車両にヨーモーメントを付加する制駆動力分配装置を制御する制駆動力制御装置であって、前記車両の自動操舵の実行時において前記車両の舵角変更動作が不可能となる操舵制御異常状態の発生を検出する異常診断部と、前記操舵制御異常状態が発生した場合に、前記車両が目標進路形状に沿って走行するように前記車両にヨーモーメントを付加する制駆動力制御部と、を備える。【選択図】図１
2019038475.tif 000002
【特許請求の範囲】
【請求項１】
車両の左右輪における制動力差および駆動力差の少なくとも一方を制御することにより前記車両にヨーモーメントを付加する制駆動力分配装置を制御する制駆動力制御装置であって、
前記車両は、舵角を変更するアクチュエータを備える操舵装置を制御して前記車両を目標進路形状に沿って走行させる自動操舵を行う操舵支援装置を備えており、
当該制駆動力制御装置は、
前記操舵支援装置の制御に基づく前記車両の舵角変更動作が不可能となる操舵制御異常状態の発生を検出する異常診断部と、
前記自動操舵時において前記操舵制御異常状態が発生した場合に、前記車両が前記目標進路形状に沿って走行するように前記車両にヨーモーメントを付加する制駆動力制御部と、
を備えることを特徴とする制駆動力制御装置。
【請求項２】
現在から所定の時間後までの前記目標進路形状である将来進路形状と、前記車両が備える状態量検出装置が検出する前記車両の挙動を示す状態量と、を記憶する記憶部を備え、
前記自動操舵時において前記操舵支援装置との通信が途絶えた場合であって、かつ前記記憶部に記憶されている前記将来進路形状および前記状態量に基づいて算出される推定ヨーレートと、前記車両の実ヨーレートとの差の絶対値が所定の閾値以上である場合に、前記操舵制御異常状態が発生していると判定する
ことを特徴とする請求項１に記載の制駆動力制御装置。
【請求項３】
前記制駆動力制御部は、前記操舵支援装置との通信が途絶え、かつ前記操舵制御異常状態が発生した場合には、前記記憶部に記憶されている前記将来進路形状および前記状態量に基づいて、前記車両が前記目標進路形状に沿って走行するように前記車両にヨーモーメントを付加する
ことを特徴とする請求項２に記載の制駆動力制御装置。
【請求項４】
前記車両の実ヨーレートを検出するヨーレートセンサを備えることを特徴とする請求項２または３に記載の制駆動力制御装置。
【請求項５】
車両の舵角を変更するアクチュエータを備える操舵装置を制御する操舵制御装置と、
前記車両の左右輪における制動力差および駆動力差の少なくとも一方を制御することにより前記車両にヨーモーメントを付加する制駆動力分配装置を制御する制駆動力制御装置と、
前記車両の外部環境情報および地図情報の少なくとも一方から目標進路形状を算出し、当該目標進路形状に基づき前記操舵制御装置を制御し、前記車両を前記目標進路形状に沿って走行させる自動操舵を行う操舵支援装置と、
を備える自動操舵システムであって、
前記制駆動力制御装置は、前記操舵支援装置の制御に基づく前記車両の舵角変更動作が不可能となる操舵制御異常状態の発生を検出する異常診断部と、前記自動操舵時において前記操舵制御異常状態が発生した場合に、前記車両が前記目標進路形状に沿って走行するように前記車両にヨーモーメントを付加する制駆動力制御部と、を備えることを特徴とする自動操舵システム。
【請求項６】
前記制駆動力制御装置は、現在から所定の時間後までの前記目標進路形状である将来進路形状と、前記車両が備える状態量検出装置が検出する前記車両の挙動を示す状態量と、を記憶する記憶部を備え、
前記自動操舵時において前記操舵支援装置との通信が途絶えた場合であって、かつ前記記憶部に記憶されている前記将来進路形状および前記状態量に基づいて算出される推定ヨーレートと、前記車両の実ヨーレートとの差の絶対値が所定の閾値以上である場合に、前記操舵制御異常状態が発生していると判定する
ことを特徴とする請求項５に記載の自動操舵システム。
【請求項７】
前記制駆動力制御部は、前記操舵支援装置との通信が途絶え、かつ前記操舵制御異常状態が発生した場合には、前記記憶部に記憶されている前記将来進路形状と前記状態量に基づいて、前記車両が前記目標進路形状に沿って走行するように前記車両にヨーモーメントを付加する
ことを特徴とする請求項６に記載の自動操舵システム。
【請求項８】
前記制駆動力制御装置は、前記車両の実ヨーレートを検出するヨーレートセンサを備えることを特徴とする請求項６または７に記載の自動操舵システム。
【発明の詳細な説明】
【技術分野】
【０００１】
本発明は、車両の制駆動力制御装置および自動操舵システムに関する。
【背景技術】
【０００２】
例えば特開２００２−１７５５９７号公報に開示されているように、車両前方の道路の形状等の車両の周囲の環境を認識する外部環境認識装置を備え、当該装置の認識結果に基づいて車両の自動運転を行う走行制御システムが知られている。
【先行技術文献】
【特許文献】
【０００３】
【特許文献１】特開２００２−１７５５９７号公報
【発明の概要】
【発明が解決しようとする課題】
【０００４】
自動運転が可能な車両において、例えば外部環境認識装置の故障やケーブルの断線等により自動運転に関わる装置に障害が発生した場合、自動運転の制御が即時に異常終了する。車両の運転者が警告音等により自動運転の異常終了を認識して手動運転を開始するまでの間は、車両の操舵が行われないため、この期間中に車両の挙動が乱れてしまう場合がある。
【０００５】
本発明は前述した問題を解決するものであり、自動運転の異常終了時において車両の挙動を乱さずに手動運転に移行することのできる制駆動力制御装置および自動操舵システムを提供することを目的とする。
【課題を解決するための手段】
【０００６】
本発明の一態様の制駆動力制御装置は、車両の左右輪における制動力差および駆動力差の少なくとも一方を制御することにより前記車両にヨーモーメントを付加する制駆動力分配装置を制御する制駆動力制御装置であって、前記車両は、舵角を変更するアクチュエータを備える操舵装置を制御して前記車両を目標進路形状に沿って走行させる自動操舵を行う操舵支援装置を備えており、当該制駆動力制御装置は、前記操舵支援装置の制御に基づく前記車両の舵角変更動作が不可能となる操舵制御異常状態の発生を検出する異常診断部と、前記自動操舵時において前記操舵制御異常状態が発生した場合に、前記車両が前記目標進路形状に沿って走行するように前記車両にヨーモーメントを付加する制駆動力制御部と、を備える。
【０００７】
また、本発明の一態様の自動操舵システムは、車両の舵角を変更するアクチュエータを備える操舵装置を制御する操舵制御装置と、前記車両の左右輪における制動力差および駆動力差の少なくとも一方を制御することにより前記車両にヨーモーメントを付加する制駆動力分配装置を制御する制駆動力制御装置と、前記車両の外部環境情報および地図情報の少なくとも一方から目標進路形状を算出し、当該目標進路形状に基づき前記操舵制御装置を制御し、前記車両を前記目標進路形状に沿って走行させる自動操舵を行う操舵支援装置と、を備える自動操舵システムであって、前記制駆動力制御装置は、前記操舵支援装置の制御に基づく前記車両の舵角変更動作が不可能となる操舵制御異常状態の発生を検出する異常診断部と、前記自動操舵時において前記操舵制御異常状態が発生した場合に、前記車両が前記目標進路形状に沿って走行するように前記車両にヨーモーメントを付加する制駆動力制御部と、を備える。
【発明の効果】
【０００８】
本発明によれば、自動運転の異常終了時において車両の挙動を乱さずに手動運転に移行することのできる制駆動力制御装置および自動操舵システムを提供することができる。
【図面の簡単な説明】
【０００９】
【図１】自動操舵システムの構成を示すブロック図である。
【図２】操舵制御装置の動作を示すフローチャートである。
【図３】ネットワーク異常状態発生時における指示値演算部による、第３操舵指示値の算出方法の概要を示す図である。
【図４】操舵指示異常状態発生時における指示値演算部による、第２操舵指示値の算出方法の概要を示す図である。
【発明を実施するための形態】
【００１０】
以下に、本発明の好ましい形態について図面を参照して説明する。なお、以下の説明に用いる各図においては、各構成要素を図面上で認識可能な程度の大きさとするため、構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１１】
図１に示す本実施形態の自動操舵システム１００は、車両に搭載され、当該車両が備える操舵装置１の動作を制御する装置である。操舵装置１は、例えば電動アクチュエータを備え、電動アクチュエータの出力により車両の舵角を変更する電動パワーステアリング装置である。自動操舵システム１００は、操舵装置１を制御することにより、車両の自動運転機能および運転支援機能における自動操舵を実行する。
【００１２】
自動操舵システム１００は、操舵支援装置１０、操舵制御装置２０および制駆動力制御装置３０を備える。また、車両は、操舵装置１、制駆動力分配装置２、状態量検出装置３、報知部４および通信ネットワーク５を備える。
【００１３】
本実施形態では一例として、操舵支援装置１０、操舵制御装置２０および制駆動力制御装置３０は、通信ネットワーク５に接続されており、当該通信ネットワーク５を介して互いにデータ通信を行う。
【００１４】
制駆動力分配装置２は、車両の左右輪における制動力差および駆動力差の少なくとも一方を発生する。制駆動力分配装置２の動作は、後述する制駆動力制御装置３０によって制御される。制駆動力分配装置２によって左右輪における制動力差または駆動力差が発生すると、車両にはヨーモーメントが付加される。制駆動力分配装置２は、横滑り防止装置を構成するものであり、制駆動力分配装置２の構成は公知であるため、詳細な説明は省略する。
【００１５】
状態量検出装置３は、車両の状態量を検出する複数のセンサからなる。車両の状態量には、車両の速度である車速Ｖ、車両の前後方向の加速度α、車両のヨー方向の角速度であるヨーレートＹａｗｒ、および操舵装置１の舵角が少なくとも含まれる。すなわち、状態量検出装置３は、車速センサ、加速度センサ、ヨーレートセンサおよび舵角センサを少なくとも含む。これらのセンサは公知の技術であるため、詳細な説明は省略する。なお、車両の前後方向の加速度αは、車速Ｖから算出可能であるため、状態量検出装置３は、加速度センサを備えていなくともよい。
【００１６】
状態量検出装置３の一部または全部は、自動操舵システム１００に含まれていてもよい。本実施形態では一例として、制駆動力制御装置３０が備えるヨーレートセンサ３ａが、状態量検出装置３の一部を構成している。
【００１７】
状態量検出装置３から出力される状態量の情報は、後述する操舵支援装置１０、操舵制御装置２０および制駆動力制御装置３０に入力される。状態量検出装置３と操舵支援装置１０、操舵制御装置２０および制駆動力制御装置３０との間の通信は、車両が備える通信ネットワーク５を経由して行われる。なお、状態量検出装置３と操舵支援装置１０、操舵制御装置２０および制駆動力制御装置３０との間の通信は、通信ネットワーク５を用いずに専用の通信ケーブルを用いて行われてもよい。
【００１８】
報知部４は、例えば画像や文字を表示する表示装置、光を発する発光装置、音を発するスピーカ、振動を発するバイブレータ、またはこれらの組み合わせ等、を含み、自動操舵システム１００から運転者に対して情報を出力する。
【００１９】
操舵支援装置１０は、地図情報認識装置１１、外部認識装置１２、第１操舵指示値演算部１３、および第１異常診断部１５を備える。
【００２０】
地図情報認識装置１１は、衛星測位システム（ＧＮＳＳ）、慣性航法装置および路車間通信の少なくとも一つを用いて車両の現在位置（緯度、経度）を検出する測位装置１１ａと、地図情報を記憶する地図情報記憶部１１ｂと、を備える。地図情報には、道路の曲率、縦断面勾配、他の道路との交差の様子等の道路の形状を示す情報が含まれる。
【００２１】
地図情報認識装置１１は、測位装置１１ａにより検出された車両の現在位置と、地図情報記憶部１１ｂが記憶している地図情報と、に基づいて、車両前方の走行路の形状を認識する。
【００２２】
外部環境認識装置１２は、車両の外部環境を認識するセンサからの情報に基づいて車両前方の走行路の形状や、走行路上および走行路の周囲に存在する物体の位置を認識し、これらの情報を外部環境情報として出力する。
【００２３】
外部環境認識装置１２は、例えば車両前方を視野内に収めるステレオカメラを備え、ステレオカメラによって撮像された画像に既知の画像処理等を施すことによって、車両前方の環境を認識する。具体的には、外部環境認識装置１２は、車両の走行路に沿って路面上に設けられた線状標示や路面上の他車両、歩行者等を認識する。線状標示とは、車両通行帯を示すために車両通行帯の左右の境界に沿って路面上に形成された線状や破線状の道路標示である。ステレオカメラを用いた車両前方の環境を認識する装置は公知であるため、詳細な構成の説明を省略する。なお、外部環境認識装置１２は、カメラの他にレーダーまたはレーザーレーダを用いる形態であってもよい。
【００２４】
第１操舵指示値演算部１３は、ＣＰＵ、ＲＯＭ、ＲＡＭ、入出力装置等がバスに接続されたコンピュータより構成されている。第１操舵指示値演算部１３は、地図情報認識装置１１から出力される地図情報および外部環境認識装置１２により認識される外部環境情報の少なくとも一方に基づいて、車両を走行させる走行路の形状である目標進路形状を算出する。
【００２５】
また、第１操舵指示値演算部１３は、車両の自動操舵時において、地図情報認識装置１１または外部環境認識装置１２により認識される目標進路形状に対する状態量（ヨー角度偏差や横位置偏差等）と、状態量検出装置３により検出される状態量に基づいて、目標進路形状に沿って車両を走行させるために操舵装置１に出力する制御データである第１操舵指示値を算出する。第１操舵指示値は、車両が目標進路形状に沿って走行するように、操舵装置１が実行すべき操舵の目標値となる情報である。第１操舵指示値は、本実施形態では一例として、操舵装置１が変更すべき目標舵角の値である。なお、第１操舵指示値は、操舵装置１が備える電動アクチュエータが発生すべき操舵トルクの値等であってもよい。
【００２６】
第１操舵指示値演算部１３から出力された第１操舵指示値は、後述する操舵制御装置２０に入力される。
【００２７】
また、第１操舵指示値演算部１３は、地図情報および外部環境情報の少なくとも一方に基づいて、現在から所定時間後であるＡ秒後までに車両を走行させる目標進路形状である将来進路形状の情報を算出する。所定の時間Ａは、例えば５秒程度である。第１操舵指示値演算部１３は、将来進路形状の情報を、後述する操舵制御装置２０および制駆動力制御装置３０に出力する。
【００２８】
なお、将来進路形状の算出は、後述する操舵制御装置２０および制駆動力制御装置３０において行われてもよい。この場合には、操舵支援装置１０は、将来進路形状の算出に必要な情報である地図情報および外部環境情報を、操舵制御装置２０および制駆動力制御装置３０の双方に出力する。
【００２９】
第１異常診断部１５は、自動操舵時において、操舵支援装置１０の制御に基づく操舵制御装置２０による車両の舵角変更動作が不可能となる操舵制御異常状態の発生を検出する。操舵制御異常状態は、操舵装置１および操舵制御装置２０の少なくとも一方が故障している状態である。
【００３０】
第１異常診断部１５が、操舵制御異常状態の発生を検出する方法は特に限定されるものではない。本実施形態では一例として、第１異常診断部１５は、操舵制御装置２０から自らの動作に障害が発生していることを示す情報が出力されている場合、または第１操舵指示値に基づくヨーレートの発生を状態量検出装置３により検出できない場合、において、操舵制御異常状態が発生していると判定する。
【００３１】
本実施形態の第１操舵指示値演算部１３は、第１異常診断部１５により操舵制御異常状態の発生が検出されている場合において、ヨーレート指示値の情報を算出し、制駆動力制御装置３０に出力する。ヨーレート指示値は、車両を舵角の変更を行わずに目標進路形状に沿って走行させるために制駆動力分配装置２が車両に発生させるべきヨーレートの値である。第１操舵指示値演算部１３は、ヨーレート指示値を、目標進路形状に対する状態量（ヨー角度偏差や横位置偏差等）と、状態量検出装置３により検出される状態量に基づいて算出する。
【００３２】
操舵制御装置２０は、ＣＰＵ、ＲＯＭ、ＲＡＭ、入出力装置等がバスに接続されたコンピュータより構成されている。操舵制御装置２０は、記憶部２２、第２異常診断部２３、指示値演算部２４および切替部２５を備える。また、操舵制御装置２０は、操舵装置１に電気的に接続されている。操舵制御装置２０が備えるこれらの構成は、個々の機能を実行する別個のハードウェアとして実装されていてもよいし、所定のプログラムをＣＰＵが実行することによって個々の機能が達成されるようにソフトウェア的に実装されていてもよい。
【００３３】
記憶部２２は、現在から所定時間であるＡ秒後までに車両を走行させる目標進路形状である将来進路形状と、現在の状態量とを記憶する。現在の状態量とは、状態量検出装置３から出力された最新の状態量のデータのことである。記憶部２２が記憶する車両の状態量には、車両の速度である車速Ｖ、車両の前後方向の加速度α、車両のヨー方向の角速度であるヨーレートＹａｗｒ、および操舵装置１の舵角、が少なくとも含まれる。
【００３４】
記憶部２２が記憶する将来進路形状および状態量は、所定の周期で常に更新される。なお、将来進路形状の更新周期と、状態量の更新周期とは同一であってもよいし異なっていてもよい。
【００３５】
第２異常診断部２３は、自動操舵時において、通信ネットワーク５が故障している通信ネットワーク異常状態の発生の検出と、自動操舵時において、操舵支援装置１０が故障している操舵指示異常状態の発生の検出と、を行う。
【００３６】
ネットワーク異常状態は、通信ネットワーク５を介したデータ通信が不可能な状態である。操舵指示異常状態は、操舵支援装置１０から自らの動作に障害が発生していることを示す情報が出力されている状態か、もしくは操舵支援装置１０とのデータ通信ができない状態である。また操舵指示異常状態では、操舵装置１、状態量検出装置３、通信ネットワーク５、操舵制御装置２０および制駆動力制御装置３０は正常に動作している状態である。
【００３７】
すなわち、ネットワーク異常状態である場合には、操舵制御装置２０は、操舵支援装置１０から出力される第１操舵指示値および将来進路形状の情報の受信と、状態量検出装置３から出力される状態量の情報の受信が不可能となる。また、操舵指示異常状態である場合には、操舵制御装置２０は、操舵支援装置１０から出力される第１操舵指示値および将来進路形状の情報の受信が不可能であるが、状態量検出装置３から出力される状態量の情報の受信が可能である。
【００３８】
指示値演算部２４は、車両の自動操舵時において、第２異常診断部２３によりネットワーク異常状態または操舵指示異常状態であることが検出されている場合に、記憶部２２に記憶されている将来進路形状に沿って車両を走行させるために操舵装置１に出力する指示値を算出する。
【００３９】
詳細には、指示値演算部２４は、自動操舵時において、操舵指示異常状態である場合には、状態量検出装置３から入力される状態量および記憶部２２に記憶されている将来進路形状に基づいて、将来進路形状に沿って車両を走行させるために操舵装置１に出力する第２操舵指示値を算出する。
【００４０】
また、指示値演算部２４は、自動操舵時において、ネットワーク異常状態である場合には、記憶部２２に記憶されている最新の状態量および将来進路形状に基づいて、将来進路形状に沿って前記車両を走行させるために操舵装置１に出力する第３操舵指示値を算出する。
【００４１】
切替部２５は、自動操舵時において、ネットワーク異常状態または操舵指示異常状態ではない場合には、操舵支援装置１０から出力される第１操舵指示値に基づいて操舵装置１を制御し、操舵指示異常状態である場合には、指示値演算部２４から出力される第２操舵指示値に基づいて操舵装置１を制御し、ネットワーク異常状態である場合には、指示値演算部２４から出力される第３操舵指示値に基づいて操舵装置１を制御する。
【００４２】
すなわち、自動操舵システム１００は、操舵支援装置１０、状態量検出装置３および通信ネットワーク５の動作が正常である場合には、操舵支援装置１０が算出する第１操舵指示値に基づいて車両の自動操舵を行う。
【００４３】
また、自動操舵システム１００は、車両の自動操舵時において、操舵支援装置１０に障害が発生し、通信ネットワーク５および状態量検出装置３の動作は正常である操舵指示異常状態となった場合には、操舵制御装置２０が備える指示値演算部２４が算出する第２操舵指示値に基づいて車両の自動操舵を行う。
【００４４】
また、自動操舵システム１００は、車両の自動操舵時において、通信ネットワーク５に障害が発生した場合であるネットワーク異常状態では、操舵制御装置２０が備える指示値演算部２４が算出する第３操舵指示値に基づいて車両の自動操舵を行う。
【００４５】
次に、操舵制御装置２０の自動操舵に関する動作について図２に示すフローチャートを参照して説明する。操舵制御装置２０は、図２に示す処理を車両の走行時に実行する。
【００４６】
操舵制御装置２０は、まずステップＳ１００において、車両の運転者による、自動操舵を開始する指示操作が入力されるまで待機する。操舵制御装置２０は、運転者による自動操舵を開始する指示操作が入力されたと判定した場合に、ステップＳ１１０以降の処理を開始する。
【００４７】
以下の説明では、時間を変数ｔで表し、現在時刻をｔ＝０であるとする。また、車両の速度である車速を時間の経過とともに変化する変数Ｖ（ｔ）とし、車両の前後方向の加速度を時間の経過とともに変化する変数α（ｔ）とし、車両のヨー方向の角速度であるヨーレートを時間の経過とともに変化する変数Ｙａｗｒ（ｔ）とする。また、目標進路形状に対する車両位置の車幅方向のずれ量である横位置偏差を、時間の経過とともに変化する変数ＥｒｒＸ（ｔ）とし、目標進路形状に対する車両の向きのヨー方向のずれ量であるヨー角度偏差を、時間の経過とともに変化する変数ＥｒｒＹａｗ（ｔ）とする。
【００４８】
ステップＳ１１０では、操舵制御装置２０は、記憶部２２による、将来進路形状および車両の現在の状態量の記憶と当該記憶内容の更新を開始する。前述のように、将来進路形状は、現在から所定時間後であるＡ秒後まで車両を走行させるための目標進路形状である。また、状態量は、車両の速度である車速Ｖ（０）、車両の前後方向の加速度α（０）、車両のヨー方向の角速度であるヨーレートＹａｗｒ（０）、および操舵装置１の舵角が少なくとも含まれる。
【００４９】
また、本実施形態では一例として、記憶部２２は、車両の速度である車速Ｖ（０）、車両の前後方向の加速度α（０）、車両のヨー方向の角速度であるヨーレートＹａｗｒ（０）、目標進路形状に対する現在の車両のずれを表す横位置偏差ＥｒｒＸ（０）およびヨー角度偏差ＥｒｒＹａｗ（０）を記憶する。位置偏差ＥｒｒＸ（０）およびヨー角度偏差ＥｒｒＹａｗ（０）は、操舵支援装置１０において算出される値であり、操舵制御装置２０に入力される。記憶部２２が記憶する情報は、車両が走行中であれば常に変化するため、正常状態である場合には常に更新され続ける。
【００５０】
次に、ステップＳ１２０において、操舵制御装置２０は、操舵支援装置１０が備える第１操舵指示値演算部１３が算出する第１操舵指示値に基づき操舵装置１を制御する自動操舵を開始する。操舵支援装置１０による自動操舵の制御は、公知の技術と同様であるため詳細な説明は省略する。概略的には、操舵支援装置１０の第１操舵指示値演算部１３は、地図情報認識装置１１および外部認識装置１２による最新の認識結果に基づいて目標進路形状を決定し、地図情報認識装置１１および外部認識装置１２により認識される目標進路形状に対する自車両のヨー角度偏差および横位置偏差等の情報と、車両の状態量と、に基づくフィードフォワード制御およびフィードバック制御により、第１操舵指示値を算出する。
【００５１】
第１操舵指示値に基づく自動操舵を開始した後は、操舵制御装置２０は、正常状態であれば、運転者による自動操舵を終了する指示操作が入力されるまで自動操舵を継続する（ステップＳ１５０のＹＥＳ）。
【００５２】
そして、操舵制御装置２０は、自動操舵の実行中において、異常検出部２３によりネットワーク異常状態であることが検出された場合（ステップＳ１３０のＹＥＳ）には、ステップＳ２００へ移行する。
【００５３】
ステップＳ２００では、操舵制御装置２０は、障害が発生し、自動操舵をＡ秒後に終了することを報知部４を介して運転者に知らせる。ステップＳ２１０では、操舵制御装置２０は、指示値演算部２４が算出する第３操舵指示値に基づいて操舵装置１を制御する自動操舵を、ネットワーク異常状態の発生検出からＡ秒間だけ継続する。
【００５４】
指示値演算部２４による、第３操舵指示値の算出方法の概要を図３に示す。以下では、時刻ｔ＝Ｔ１においてネットワーク異常状態が発生したものとし、時刻Ｔ１からの経過時間をδＴとする。
【００５５】
ネットワーク異常状態は操舵指示装置１０および状態量検出装置３の双方と操舵制御装置２０との間の通信が途絶した状態であることから、ネットワーク異常状態の発生後は、記憶部２２に記憶されている将来進路形状、横位置偏差ＥｒｒＸ（ｔ）およびヨー角度偏差ＥｒｒＹａｗ（ｔ）の値と、車両の状態量が更新されなくなる。したがって、ネットワーク異常状態の発生後は、記憶部２２には、時刻Ｔ１における将来進路形状と、時刻Ｔ１における横位置偏差ＥｒｒＸ（Ｔ１）およびヨー角度偏差ＥｒｒＹａｗ（Ｔ１）と、時刻Ｔ１における状態量が記憶されている。時刻Ｔ１における状態量は、車速Ｖ（Ｔ１）、加速度α（Ｔ１）およびヨーレートＹａｗｒ（０）である。図３における破線の矩形枠で囲んだ値は、記憶部２２に記憶されている値である。
【００５６】
ネットワーク異常状態の発生時には、指示値演算部２４は、ネットワーク異常状態の発生時（ｔ＝Ｔ１）に記憶部２２に記憶した将来進路形状および車両の状態量と、ネットワーク異常状態の発生からの経過時間δｔと、に基づいて、目標進路の曲率Ｃｅ（０）を推定する。具体的には、指示値演算部２４は、ネットワーク異常状態の発生時の車速Ｖ（Ｔ１）および加速度α（Ｔ１）と、経過時間δｔとに基づいて、車両の現在の車速Ｖｅ（０）を推定する。そして、現在から過去δｔ秒間の推定車速Ｖｅ（０）の積分値から走行距離を算出し、記憶している将来進路形状上における車両の現在位置を推定し、この現在位置と将来進路形状から目標進路の曲率Ｃｅ（０）を推定する。
【００５７】
そして、指示値演算部２４は、目標ヨーレート算出部において、現在の推定車速Ｖｅ（０）と目標進路の推定曲率Ｃｅ（０）に基づき、車両のヨー角度を目標進路に沿ったヨー角度に変更させるために必要な目標ヨーレートを算出する。目標ヨーレートは、現在の推定車速Ｖｅ（０）と目標進路の推定曲率Ｃｅ（０）により算出される値である。
【００５８】
また、指示値演算部２４は、ネットワーク異常状態の発生時（ｔ＝Ｔ１）において目標進路に対する現在の車両の車幅方向のずれである横位置偏差ＥｒｒＸ（Ｔ１）や目標進路に対する現在の車両のヨー方向の角度ずれであるヨー角度偏差ＥｒｒＹａｗ（Ｔ１）が所定の値を超えていた場合には、車両を将来進路上に復帰させるために必要な修正ヨーレートを、修正ヨーレート算出部において、横位置偏差ＥｒｒＸ（Ｔ１）およびヨー角度偏差ＥｒｒＹａｗ（Ｔ１）を用いて算出する。すなわち、修正ヨーレートは、例えば、路面のカントや横風等の外乱に起因する車両の目標進路からのずれを補償するためのものである。
【００５９】
そして、指示値演算部２４は、目標ヨーレートおよび修正ヨーレートを加算し、この結果に基づいて、第１目標舵角算出部において第１目標舵角を算出する。なお、第１目標舵角の算出には、あらかじめ設定された車両の運動特性と実際の車両の運動特性とのずれを補正するための舵角補正ゲインが加味される。
【００６０】
そして、指示値演算部２４は、第１目標舵角を第３操舵指示値として出力する。すなわち、ネットワーク異常状態の発生時において自動操舵に用いられる第３操舵指示値は、記憶部２２に記憶された将来進路形状と車両の状態量の情報に基づき操舵装置１をフィードフォワード制御するための第１目標舵角の成分のみを含む。第３操舵指示値には、操舵装置１をフィードバック制御するための成分が含まれていない。
【００６１】
ネットワーク異常状態の発生時において記憶部２２に記憶されている将来進路形状の情報は、所定の時間（Ａ秒間）内のものであるため、ネットワーク異常状態の発生からＡ秒後に、指示値演算部２４は第３操舵指示値の算出を終了する。
【００６２】
図２のフローチャートに戻り、操舵制御装置２０は、自動操舵の実行中において、異常検出部２３により操舵指示異常状態であることが検出された場合（ステップＳ１４０のＹＥＳ）には、ステップＳ３００へ移行する。
【００６３】
ステップＳ３００では、操舵制御装置２０は、障害が発生し、自動操舵をＡ秒後に終了することを報知部４を介して運転者に知らせる。ステップＳ３１０では、操舵制御装置２０は、指示値演算部２４が算出する第２操舵指示値に基づいて操舵装置１を制御する自動操舵を、ネットワーク異常状態の発生検出からＡ秒間だけ継続する。
【００６４】
指示値演算部２４による、第２操舵指示値の算出方法の概要を図４に示す。以下では、時刻ｔ＝Ｔ１において操舵指示異常状態が発生したものとし、時刻Ｔ１からの経過時間をδＴとする。
【００６５】
操舵指示異常状態は操舵支援装置１０と操舵制御装置２０との間の通信が途絶した状態であることから、操舵指示異常状態の発生後は、記憶部２２に記憶されている将来進路形状と、横位置偏差ＥｒｒＸ（ｔ）およびヨー角度偏差ＥｒｒＹａｗ（ｔ）の値が更新されなくなる。したがって、操舵指示異常状態の発生後は、記憶部２２には、時刻Ｔ１における将来進路形状と、時刻Ｔ１における横位置偏差ＥｒｒＸ（Ｔ１）およびヨー角度偏差ＥｒｒＹａｗ（Ｔ１）が記憶されている。図４における破線の矩形枠で囲んだ値は、記憶部２２に記憶されている値である。
【００６６】
操舵指示異常状態の発生時には、指示値演算部２４は、操舵指示異常状態の発生時（ｔ＝Ｔ１）に記憶部２２に記憶した将来進路形状と、操舵指示異常状態の発生からの経過時間δｔと、現在の車速Ｖ（０）と、に基づいて、目標進路の曲率Ｃｅ（０）を推定する。具体的には、指示値演算部２４は、現在から過去δｔ秒間の車速の積分値から走行距離を算出し、記憶している将来進路形状上における車両の現在位置を推定し、この現在位置と将来進路形状から目標進路の曲率Ｃｅ（０）を推定する。
【００６７】
そして、指示値演算部２４は、目標ヨーレート算出部において、現在の車速Ｖ（０）と目標進路の推定曲率Ｃｅ（０）に基づき、車両のヨー角度を目標進路に沿ったヨー角度に変更させるために必要な目標ヨーレートを算出する。目標ヨーレートは、現在の車速Ｖ（０）と目標進路の推定曲率Ｃｅ（０）により算出される値である。
【００６８】
また、指示値演算部２４は、操舵指示異常状態の発生時（ｔ＝Ｔ１）において目標進路に対する現在の車両の車幅方向のずれである横位置偏差ＥｒｒＸ（Ｔ１）や目標進路に対する現在の車両のヨー方向の角度ずれであるヨー角度偏差ＥｒｒＹａｗ（Ｔ１）が所定の値を超えていた場合には、車両を将来進路上に復帰させるために必要な修正ヨーレートを、修正ヨーレート算出部において、横位置偏差ＥｒｒＸ（Ｔ１）およびヨー角度偏差ＥｒｒＹａｗ（Ｔ１）を用いて算出する。すなわち、修正ヨーレートは、例えば、路面のカントや横風等の外乱に起因する車両の目標進路からのずれを補償するためのものである。
【００６９】
そして、指示値演算部２４は、目標ヨーレートおよび修正ヨーレートを加算し、この結果に基づいて、第１目標舵角算出部において第１目標舵角を算出する。なお、第１目標舵角の算出には、あらかじめ設定された車両の運動特性と実際の車両の運動特性とのずれを補正するための舵角補正ゲインが加味される。
【００７０】
また、指示値演算部２４は、目標ヨーレートおよび修正ヨーレートを加算した値と、現在の車両の状態量であるヨーレートＹａｗｒ（０）とに基づき、第２目標舵角算出部において、車両のヨー角度を目標進路に沿ったヨー角度となるようにフィードバック制御する第２目標舵角を算出する。
【００７１】
指示値演算部２４は、第１目標舵角および第２目標舵角を加算した値を第２操舵指示値として出力する。すなわち、操舵指示異常状態の発生時において自動操舵に用いられる第２操舵指示値は、記憶部２２に記憶された将来進路形状と現在の車速Ｖ（０）に基づき操舵装置１をフィードフォワード制御するための第１目標舵角の成分と、現在の車両のヨーレートＹａｗｒ（０）の値に基づき操舵装置１をフィードバック制御するための第２目標舵角の成分と、を含む。
【００７２】
操舵指示異常状態の発生時において記憶部２２に記憶されている将来進路形状の情報は、所定の時間（Ａ秒間）内のものであるため、操舵指示異常状態の発生からＡ秒後に、指示値演算部２４は第２操舵指示値の算出を終了する。
【００７３】
以上に説明したように、本実施形態の操舵制御装置２０は、自動操舵時において、現在から所定の時間後の将来までに車両が走行する道路の形状に応じた将来進路形状と、車両の車速等の状態量を記憶部２２に記憶する。
【００７４】
そして、地図情報認識装置１１および外部認識装置１２を備える操舵支援装置１０と、操舵装置１を制御する操舵制御装置２０との間の通信が途絶する操舵指示異常状態が発生した場合には、操舵制御装置２０は、記憶している将来進路形状と、状態量検出装置３によりリアルタイムで検出される車速およびヨーレートの情報に基づいて操舵装置１を制御し、所定の期間だけ自動操舵を継続する。この場合、車両の状態量の変化に応じて車両の位置の推定と、舵角のフィードバック制御の実行が可能であるため、自動操舵システム１００は、記憶している将来進路形状に沿って所定の期間だけ正確に車両を走行させることができる。
【００７５】
また、本実施形態の操舵制御装置２０は、操舵支援装置１０および状態量検出装置３の双方と、操舵制御装置２０との間の通信が途絶する通信ネットワーク異常状態が発生した場合においても、記憶している最新の将来進路形状および状態量に基づいて、操舵装置１を制御し、所定の期間だけ車両を将来進路形状に沿って走行させる自動操舵を継続することができる。
【００７６】
よって、本実施形態の自動操舵システム１００によれば、通信ネットワークに障害が発生した後や操舵支援装置１０に障害が発生した後にも、所定の期間中は車両を将来進路形状に沿って走行させる自動操舵を継続することができる。そして、本実施形態の自動操舵システム１００によれば、障害発生後の将来進路形状に沿った自動操舵の実行期間中に、運転者による手動運転に移行させることができるため、自動操舵が異常終了する場合における車両の挙動の乱れを防止することができる。
【００７７】
制駆動力制御装置３０は、ＣＰＵ、ＲＯＭ、ＲＡＭ、入出力装置等がバスに接続されたコンピュータより構成されている。制駆動力制御装置３０は、ヨーレートセンサ３ａ、記憶部３２、第３異常診断部３３、および制駆動力制御部３４を備える。また、制駆動力制御装置３０は、制駆動力分配装置２に電気的に接続されている。前述のように、本実施形態では、ヨーレートセンサ３ａは、状態量検出装置３の一部を構成している。
【００７８】
制駆動力制御装置３０が備えるこれらの構成は、個々の機能を実行する別個のハードウェアとして実装されていてもよいし、所定のプログラムをＣＰＵが実行することによって個々の機能が達成されるようにソフトウェア的に実装されていてもよい。
【００７９】
記憶部３２は、現在から所定時間であるＡ秒後までに車両を走行させる目標進路形状である将来進路形状と、現在の状態量とを記憶する。記憶部３２が記憶する車両の状態量には、車両の速度である車速Ｖ、車両の前後方向の加速度α、および車両のヨー方向の角速度であるヨーレートＹａｗｒ、が少なくとも含まれる。
【００８０】
記憶部３２が記憶する将来進路形状および状態量は、所定の周期で常に更新される。なお、将来進路形状の更新周期と、状態量の更新周期とは同一であってもよいし異なっていてもよい。
【００８１】
第３異常診断部３３は、自動操舵時において、操舵支援装置１０の動作に障害が発生している状態、および通信ネットワーク５の動作に障害が発生している状態、の少なくとも一方である通信障害状態の発生を検出する。
【００８２】
通信障害状態は、操舵支援装置１０から自らの動作に障害が発生していることを示す情報が出力されている状態か、もしくは操舵支援装置１０とのデータ通信ができない状態である。
【００８３】
なお、通信ネットワーク５の動作に障害が発生している状態であっても、制駆動力制御装置３０は、状態量検出装置３により検出される状態量のうち、少なくともヨーレートセンサ３ａにより検出されるヨーレートＹａｗｒの情報を取得することが可能である。
【００８４】
また、第３異常診断部３３は、自動操舵時において、操舵支援装置１０の制御に基づく操舵制御装置２０による車両の舵角変更動作が不可能となる操舵制御異常状態の発生を検出する。前述のように、操舵制御異常状態は、操舵装置１および操舵制御装置２０の少なくとも一方が故障している状態である。
【００８５】
本実施形態の第３異常診断部３３は、通信障害状態が発生していない場合には、操舵支援装置１０または操舵制御装置２０から操舵制御異常状態が発生していることを示す情報を受信した場合に、操舵制御異常状態が発生したと判定する。
【００８６】
また、第３異常診断部３３は、通信障害状態が発生している場合には、記憶部３２に記憶されている将来進路形状および状態量に基づいて算出される推定ヨーレートと、ヨーレートセンサ３ａにより検出される車両の実ヨーレートとの差の絶対値が所定の閾値以上である場合に、操舵制御異常状態が発生していると判定する。
【００８７】
より具体的に、通信障害状態の発生時には、第３異常診断部３３は、通信障害状態の発生時（ｔ＝Ｔ１）に記憶部３２に記憶した将来進路形状および車両の状態量と、通信障害状態の発生からの経過時間δｔと、に基づいて、目標進路の曲率Ｃｅ（０）を推定する。具体的には、第３異常診断部３３は、通信障害状態の発生時の車速Ｖ（Ｔ１）および加速度α（Ｔ１）と、経過時間δｔとに基づいて、車両の現在の車速Ｖｅ（０）を推定する。車速Ｖｅ（０）を推定では、車両の加速度はα（Ｔ１）で一定であると仮定する。そして、現在から過去δｔ秒間の推定車速Ｖｅ（０）の積分値から走行距離を算出し、記憶している将来進路形状上における車両の現在位置を推定し、この現在位置と将来進路形状から目標進路の曲率Ｃｅ（０）を推定する。
【００８８】
次に、第３異常診断部３３は、車両が前記推定車速Ｖｅ（０）および前記推定曲率Ｃｅ（０）で走行した場合に発生するヨーレートを算出し、この値を推定ヨーレートＹａｗｒｅ（０）とする。
【００８９】
そして、第３異常診断部３３は、この推定ヨーレートＹａｗｒｅ（０）と、実ヨーレートＹａｗｒ（０）との差の絶対値が所定の閾値以上である場合に、操舵制御異常状態が発生していると判定する。
【００９０】
前述のように、将来進路形状は５秒程度の比較的短い期間におけるものであるから、操舵制御装置２０によって操舵装置１が制御されている場合には、推定ヨーレートＹａｗｒｅ（０）と実ヨーレートＹａｗｒ（０）との差はそれほど大きくなることはない。したがって、推定ヨーレートＹａｗｒｅ（０）と実ヨーレートＹａｗｒ（０）との差が所定の閾値以上となる場合とは、車両を将来進路形状に沿って走行させるための操舵が行われていない場合であり、操舵制御異常状態が発生していると言える。
【００９１】
制駆動力制御部３４は、車両の自動操舵時において、第３異常診断部３３により操舵制御異常状態であることが検出されており、かつ通信障害状態が発生しておらず操舵支援装置１０からヨーレート指示値の情報を受信している場合には、制駆動力分配装置２にヨーモーメントを発生させ、車両のヨーレートが前記ヨーレート指示値となるように制駆動力分配装置２を制御する。
【００９２】
また、制駆動力制御部３４は、車両の自動操舵時において、第３異常診断部３３により操舵制御異常状態であることが検出されており、かつ通信障害状態が発生している場合には、記憶部３２に記憶されている将来進路形状に沿って車両が走行するように、制駆動力分配装置２にヨーモーメントを発生させる。この場合、制駆動力制御部３４は、ヨーレートセンサ３ａにより検出される実ヨーレート、記憶部３２に記憶されている最新の状態量および将来進路形状に基づいて、将来進路形状に沿って車両を走行させるために制駆動力分配装置２が発生すべきヨーモーメントの情報である指示ヨーモーメントを算出する。
【００９３】
指示ヨーモーメントの算出では、まず制駆動力制御部３４は、通信障害状態の発生時（ｔ＝Ｔ１）に記憶部３２に記憶した将来進路形状および車両の状態量と、ネットワーク異常状態の発生からの経過時間δｔと、に基づいて、推定車速Ｖｅ（０）および目標進路の推定曲率Ｃｅ（０）を算出する。推定車速Ｖｅ（０）および目標進路の推定曲率Ｃｅ（０）の算出方法は前述の通りである。
【００９４】
そして、制駆動力制御部３４は、現在の推定車速Ｖｅ（０）と目標進路の推定曲率Ｃｅ（０）に基づき、車両のヨー角度を目標進路に沿ったヨー角度に変更させるために必要な目標ヨーレートを算出する。
【００９５】
また、制駆動力制御部３４は、通信障害状態の発生時（ｔ＝Ｔ１）において目標進路に対する現在の車両の車幅方向のずれである横位置偏差ＥｒｒＸ（Ｔ１）や目標進路に対する現在の車両のヨー方向の角度ずれであるヨー角度偏差ＥｒｒＹａｗ（Ｔ１）が所定の値を超えていた場合には、車両を将来進路上に復帰させるために必要な修正ヨーレートを算出する。
【００９６】
そして、制駆動力制御部３４は、目標ヨーレートおよび修正ヨーレートを加算し、この結果に基づいて、指示ヨーモーメントを算出する。指示ヨーモーメントの算出には、目標ヨーレートおよび修正ヨーレートの値の他に、ヨーレートセンサ３ａにより検出される実ヨーレートの値と、あらかじめ設定された車両の質量の情報および車両の重心に対する各車輪の位置の情報と、が使用される。実ヨーレートの値は、車両のヨーレートのフィードバック制御に用いられる。
【００９７】
指示ヨーモーメントの値に基づいて制駆動力分配装置２が車両にヨーモーメントを与えることにより、車両の進行方向が将来進路形状に沿って走行するように変化する。通信障害状態の発生時において記憶部３２に記憶されている将来進路形状の情報は、所定の時間（Ａ秒間）内のものであるため、制駆動力制御部３４による指示ヨーモーメントの算出は、Ａ秒間だけ継続する。
【００９８】
以上に説明したように、本実施形態の自動操舵システム１００は、車両の自動操舵時において、操舵装置１または操舵制御装置２０に障害が発生しているが、通信ネットワーク５、状態量検出装置３および操舵支援装置１０の動作は正常である場合には、操舵支援装置１０が算出する情報に基づいて制駆動力制御装置３０および制駆動力分配装置２による車両の進行方向の変更制御を所定の時間（Ａ秒間）だけ継続する。
【００９９】
また、自動操舵システム１００は、車両の自動操舵時において、通信障害状態が発生しており操舵支援装置１０による制駆動力制御装置３０の制御が不可能である場合には、制駆動力制御装置３０は、操舵装置１または操舵制御装置２０が障害が発生しているか否かを、単独で判定する。そして、自動操舵システム１００は、通信障害状態が発生し、かつ操舵装置１または操舵制御装置２０に障害が発生している場合には、駆動力制御装置３０が記憶している情報に基づいて制駆動力制御装置３０および制駆動力分配装置２による車両の進行方向の変更制御を所定の時間（Ａ秒間）だけ継続する。
【０１００】
よって、本実施形態の制駆動力制御部３４を備える自動操舵システム１００によれば、操舵装置１または操舵制御装置２０に障害が発生した後にも、所定の期間中は車両を将来進路形状に沿って走行させることができる。そして、本実施形態の自動操舵システム１００によれば、障害発生後の将来進路形状に沿った自動的な走行の実行期間中に、運転者による手動運転に移行させることができるため、自動操舵が異常終了する場合における車両の挙動の乱れを防止することができる。
【０１０１】
本発明は、上述した実施形態に限られるものではなく、請求の範囲及び明細書全体から読み取れる発明の要旨或いは思想に反しない範囲で適宜変更可能であり、そのような変更を伴う制駆動力制御装置および自動操舵システムもまた本発明の技術的範囲に含まれるものである。
【符号の説明】
【０１０２】
１    操舵装置、
２    制駆動力分配装置、
３    状態量検出装置、
３ａ    ヨーレートセンサ、
４  報知部、
５    通信ネットワーク、
１０    操舵支援装置、
１１    地図情報認識装置、
１１ａ    即位装置、
１１ｂ    地図情報記憶部、
１２    外部環境認識装置、
１３    第１操舵指示値演算部、
１５    第１異常診断部、
２０    操舵制御装置、
２２    記憶部、
２３    第２異常診断部、
２４    指示値演算部、
２５    切替部、
３０    制駆動力制御装置、
３２    記憶部、
３３    第３異常診断部、
３４    制駆動力制御部、
１００    自動操舵システム。
【図１】
2019038475.tif 000003
【図２】
2019038475.tif 000004
【図３】
2019038475.tif 000005
【図４】
2019038475.tif 000006